(57)【要約】【課題】遺伝子の解明用途として有用な、トランスジェニック哺乳動物及びその作製方法並びにこれを用いた遺伝子機能の解明方法を提供する。【解決手段】トランスポゾン配列及び／又はトランスポゼース遺伝子を含むトランスジェニック哺乳動物およびその作製方法並びにこれを用いた遺伝子機能の解明方法。【選択図】図３
2004267001.tif 000002
【特許請求の範囲】
【請求項１】
トランスポゾン配列を有するトランスジェニック哺乳動物。
【請求項２】
トランスポゾン配列及びトランスポゼース遺伝子を有し、且つ、少なくとも１つの細胞に転位部位を有するトランスジェニック哺乳動物。
【請求項３】
トランスポゾン配列を有し、且つ、全身の細胞に少なくとも１つの転位部位を有する、トランスポゼース遺伝子を含む又は含まないトランスジェニック哺乳動物。
【請求項４】
トランスポゼース遺伝子を有するトランスジェニック哺乳動物。
【請求項５】
前記トランスポゾン配列内にマーカー遺伝子及び遺伝子発現調節配列からなる群から選ばれる少なくとも１種を有する請求項１、２または３に記載のトランスジェニック哺乳動物。
【請求項６】
前記マーカー遺伝子がグリーン蛍光蛋白質（ＧＦＰ）遺伝子またはｌａｃＺ遺伝子である請求項５に記載のトランスジェニック哺乳動物。
【請求項７】
前記遺伝子発現調節配列が、プロモーター、エンハンサー、サイレンサー、スプライスアクセプター部位又はスプライスドナー部位からなる群から選ばれる少なくとも１種である請求項５に記載のトランスジェニック哺乳動物。
【請求項８】
少なくともいずれかの組織中で、該組織の１０％以上の細胞がシグニチャー部位を有する請求項２に記載のトランスジェニック哺乳動物。
【請求項９】
前記哺乳動物がマウス又はラットである、請求項１〜８のいずれかに記載のトランスジェニック哺乳動物。
【請求項１０】
請求項２、３，５〜９のいずれかに記載のトランスジェニック哺乳動物の表現型変化及びトランスポゾン配列の挿入位置を調べることを特徴とする遺伝子機能の解明方法。
【請求項１１】
胚性幹（ＥＳ）細胞、受精卵又は核移植された受精卵にトランスポゾン配列又はトランスポゼース遺伝子を導入し、このＥＳ細胞或いは受精卵からトランスポゾン配列含有哺乳動物を得ることを特徴とする、トランスジェニック哺乳動物の作製方法。
【請求項１２】
トランスポゾン配列含有トランスジェニック哺乳動物とトランスポゼース遺伝子含有トランスジェニック哺乳動物を交配することを特徴とする、トランスポゾン配列およびトランスポゼース遺伝子を有し、前記トランスポゾン配列を転位可能な状態で含むトランスジェニック哺乳動物の作製方法。
【請求項１３】
トランスポゾン配列およびトランスポゼース遺伝子を有し、前記トランスポゾン配列を転位可能な状態で含むトランスジェニック哺乳動物と野生型哺乳動物とを交配することを特徴とする、転位部位を有し、且つ、シグニチャー部位を含む又は含まないトランスジェニック哺乳動物の作製方法。
【請求項１４】
請求項３に記載のトランスジェニック哺乳動物の疾患に関連する表現型を調べて疾患又は病的状態を有する哺乳動物を選抜することを特徴とする哺乳動物疾患モデルの作製方法。
【請求項１５】
トランスポゾン配列を含む少なくとも１つの転位部位を有し、該転位部位により遺伝子の機能が低下ないし喪失しているトランスジェニック哺乳動物。
【発明の詳細な説明】
【０００１】
【発明の属する技術分野】
本発明は、遺伝子の機能解明に有用な、トランスジェニック哺乳動物及びその作製方法、動物モデルの作製方法並びにこれを用いた遺伝子機能の解明方法に関する。
【０００２】
【従来の技術】
現在、世界的にヒトをふくむ各種生物でのゲノム解析が急速な勢いで進められている。各種生物においてゲノム解析が完了すれば、遺伝子疾患の原因追究やその治療法および医薬品の開発、進化の歴史の解明など、バイオ技術、生命科学に応用することが可能になると期待されている。
【０００３】
しかしながら、配列情報だけから遺伝子の機能を知るには限界があり、多くの遺伝子の機能は未解明である。これらの遺伝子を有効利用するためには機能解明が必須であり、機能未解明の遺伝子の機能を解明することが、今後の課題として残されている。
【０００４】
遺伝子の機能を理解するための研究では、細胞の相同的組み換えの特質を利用して、機能的な対立遺伝子を、その不活性化したコピーで置き換えることによって、目的とする遺伝子を特異的に破壊する方法（Ｒｕｖｋｕｎ  ｅｔ  Ａｕｓｕｂｅｌ、１９８１）などが知られる。
【０００５】
トランスジェニック動物もまた、遺伝子機能の解明に用いられてきた。トランスジェニック哺乳動物の作製では、哺乳動物の１個以上の染色体に核酸配列を挿入する。
【０００６】
トランスジェニックマウスを生産するための一般的な技術は、ルードヴィッヒ・インスティテュート・フォア・キャンサー・リサーチの国際特許出願９１−１３１１５０号に記載されている。
【０００７】
トランスジェニック哺乳動物は従来技術に開示されている。ワグナー等の米国特許第４，８７３，１９１号は、哺乳動物接合体へのＤＮＡのマイクロインジェクションによって導入された外因性ＤＮＡを有する哺乳動物を教示している。
【０００８】
哺乳動物におけるトランスポゾンの導入については、マウスにおいてトランスポゾン及びトランスポゼースの発現遺伝子を体細胞ゲノム中に血液を介して導入し、トランスポゾン及びトランスポゼースの両方を発現したマウス（Ｎａｔｕｒｅ  Ｇｅｎｅｔｉｃｓ  ２５：  ３５−４１，  ２０００）が知られている。
また、魚のＴｃ１／ｍａｒｉｎｅｒ−ｌｉｋｅトランスポゾンより再構築されるトランスポゾン（Ｓｌｅｅｐｉｎｇ  Ｂｅａｕｔｙと命名されている）をヒトのＨｅｌａ細胞とマウスのＬＭＴＫ細胞へ導入した例（Ｃｅｌｌ  ９１：  ５０１−５１０，  ２０００）、マウスのＥＳ細胞へ導入した例（Ｐｒｏｃ．  Ｎａｔｌ．  Ａｃａｄ．  Ｓｃｉ．  ＵＳＡ，  Ｖｏｌ．９５，  ｐｐ．１０７６９−１０７７３，  Ｓｅｐｔｅｍｂｅｒ  １９９８）ヒトの培養細胞に導入したＴｃ１トランスポゾンに活性がみられた例（Ｎｕｃｌｅｉｃ  Ａｃｉｄｓ  Ｒｅｓｅａｒｃｈ  ２６：  ３０１３−３０１７，  １９９８）が報告されている。
【０００９】
特表２０００−５０３５３６号には、哺乳動物細胞、特にヒト起源の細胞における高レベル発現に適合させた、合成および「ヒト化」型のグリーン蛍光タンパク質（ＧＦＰ）遺伝子が開示されている。また、このようなヒト化遺伝子を保有する組換えベクターが開示されている。さらに、哺乳動物細胞および動物におけるヒト化ＧＦＰの効果的な発現を用いるための種々の方法が開示されている。
【００１０】
しかしながらこれまでの方法では、動物の体内で、数多くの遺伝子にランダムに変異を導入することが困難であった。従って、遺伝子変異誘発のための一般的な方法を設計する必要があった。
【００１１】
【発明が解決しようとする課題】
本発明は、トランスジェニック哺乳動物及びその作製方法並びにこれを用いた遺伝子機能の解明方法を提供することを目的とする。
【００１２】
また、トランスジェニック哺乳動物を作製する方法を提供すること及びそのような哺乳動物を作製することも目的とする。
【００１３】
さらに、疾患に関連する遺伝子及びタンパク分子を同定することをも目的とする。
【００１４】
【課題を解決するための手段】
本発明者は上述した如き課題に鑑みて、鋭意研究を重ねた結果、トランスポゾン配列及びトランスポゼース遺伝子からなる群から選ばれる少なくとも１種のを含むトランスジェニック哺乳動物およびその作製方法並びにこれを用いた遺伝子機能の解明方法を見出し、ここに本発明を完成するに至った。
本発明は、以下の項１〜項１５に関する。
【００１５】
項１．    トランスポゾン配列を有するトランスジェニック哺乳動物。
【００１６】
項２．    トランスポゾン配列及びトランスポゼース遺伝子を有し、且つ、少なくとも１つの細胞に転位部位を有するトランスジェニック哺乳動物。
【００１７】
項３．    トランスポゾン配列を有し、且つ、全身の細胞に少なくとも１つの転位部位を有する、トランスポゼース遺伝子を含む又は含まないトランスジェニック哺乳動物。
【００１８】
項４．    トランスポゼース遺伝子を有するトランスジェニック哺乳動物。
【００１９】
項５．    前記トランスポゾン配列内にマーカー遺伝子及び遺伝子発現調節配列からなる群から選ばれる少なくとも１種を有する項１、２または３に記載のトランスジェニック哺乳動物。
【００２０】
項６．    前記マーカー遺伝子がグリーン蛍光蛋白質（ＧＦＰ）遺伝子またはｌａｃＺ遺伝子である項５に記載のトランスジェニック哺乳動物。
【００２１】
項７．    前記遺伝子発現調節配列が、プロモーター、エンハンサー、サイレンサー、スプライスアクセプター部位又はスプライスドナー部位からなる群から選ばれる少なくとも１種である項５に記載のトランスジェニック哺乳動物。
【００２２】
項８．    少なくともいずれかの組織中で、該組織の１０％以上の細胞がシグニチャー部位を有する項２に記載のトランスジェニック哺乳動物。
【００２３】
項９．    前記哺乳動物がマウス又はラットである、項１〜８のいずれかに記載のトランスジェニック哺乳動物。
【００２４】
項１０．    項２、３，５〜９のいずれかに記載のトランスジェニック哺乳動物の表現型変化及びトランスポゾン配列の挿入位置を調べることを特徴とする遺伝子機能の解明方法。
【００２５】
項１１．    胚性幹（ＥＳ）細胞、受精卵又は核移植された受精卵にトランスポゾン配列又はトランスポゼース遺伝子を導入し、このＥＳ細胞或いは受精卵からトランスポゾン配列含有哺乳動物を得ることを特徴とする、トランスジェニック哺乳動物の作製方法。
【００２６】
項１２．    トランスポゾン配列含有トランスジェニック哺乳動物とトランスポゼース遺伝子含有トランスジェニック哺乳動物を交配することを特徴とする、トランスポゾン配列およびトランスポゼース遺伝子を有し、前記トランスポゾン配列を転位可能な状態で含むトランスジェニック哺乳動物の作製方法。
【００２７】
項１３．    トランスポゾン配列およびトランスポゼース遺伝子を有し、前記トランスポゾン配列を転位可能な状態で含むトランスジェニック哺乳動物と野生型哺乳動物とを交配することを特徴とする、転位部位を有し、且つ、シグニチャー部位を含む又は含まないトランスジェニック哺乳動物の作製方法。
【００２８】
項１４．    項３に記載のトランスジェニック哺乳動物の疾患に関連する表現型を調べて疾患又は病的状態を有する哺乳動物を選抜することを特徴とする哺乳動物疾患モデルの作製方法。
【００２９】
項１５．    トランスポゾン配列を含む少なくとも１つの転位部位を有し、該転位部位により遺伝子の機能が低下ないし喪失しているトランスジェニック哺乳動物。
【００３０】
【発明の実施の形態】
本発明のトランスジェニック哺乳動物には、第１世代（ｆｏｕｎｄｅｒ）だけでなく、その子孫も当然に包含される。
【００３１】
本発明の項２の「トランスポゾン配列及びトランスポゼース遺伝子を有し、且つ、少なくとも１つの細胞に転位部位を有するトランスジェニック哺乳動物。」は、１つの実施態様として、図３を参照すると、任意成分としてＧＦＰを内部に含むトランスポゾン配列とトランスポゼース遺伝子（ＳＢ）を両方有するトランスジェニック哺乳動物（以下、「ＴＰ−ＳＢ哺乳動物」ということがある）に対応し、任意成分としてＧＦＰを内部に含むトランスポゾン配列を有するがトランスポゼース遺伝子（ＳＢ）を有しない哺乳動物（以下、「ＴＰ哺乳動物」ということがある）と、トランスポゼース遺伝子（ＳＢ）を有するがトランスポゾン配列を有しない哺乳動物（以下、「ＳＢ哺乳動物」ということがある）を交配して得られるものである。この哺乳動物は、各細胞においてトランスポゾンがランダムに転位しており、トランスポゾンにより導入された遺伝子変異に関し、哺乳動物全体として統一的な変異が見いだされないものである。
【００３２】
一方、項３の「トランスポゾン配列を有し、且つ、全身の細胞に少なくとも１つの転位部位を有する、トランスポゼース遺伝子を含む又は含まないトランスジェニック哺乳動物。」は、「ＴＰ−ＳＢ哺乳動物」と野生型哺乳動物を交配して得られるものであり、「ＴＰ−ＳＢ哺乳動物」の転位配列に由来する遺伝子変異が哺乳動物細胞全体の大部分で共通しているものである。
【００３３】
本発明において、トランスジェニック哺乳動物に用いられるトランスポゾン配列及びトランスポゼース遺伝子は、内因性のものでも外来性のものでも制限なく使用できるが、好ましくは外来性のトランスポゾン配列及びトランスポゼース遺伝子を用いることができる。
【００３４】
本発明で利用できる前記哺乳動物は、例えば、ヒト、ブタ、サル、ウシ、ウマ、ヤギ、ヒツジ、ネコ、イヌ、ウサギ、マウス、ラット、又はハムスター等であり、より好ましくは、マウス又はラットである。
【００３５】
本発明で用いるトランスポゾン配列とは、トランスポゼースの作用によりゲノム中の多様な位置に挿入し得る、自身では非転位性のＤＮＡセグメントであり、通常両末端に逆向きの繰返し構造を有する。ただし、該繰返し構造は、トランスポゼースの作用により転位（ゲノム中の他の位置に挿入）可能であれば、不完全な繰り返し部分を含んでいてもよい。トランスポゾン配列の両末端に逆向きの繰返し構造に挟まれる部分には、様々なＤＮＡ配列（たとえば、マーカー遺伝子、遺伝子発現調節配列、所望の遺伝子など）を挿入することができる
トランスポゾン配列は、酵素トランスポゼースにより活性化され、転位することができる。転位の結果、たとえばトランスポゾン配列が遺伝子のエクソン部分に挿入された場合や、トランスポゾン配列中に遺伝子発現調節配列、たとえばプロモーター、エンハンサー、サイレンサー、スプライスアクセプター部位又はスプライスドナー部位などが挿入されている場合には、転位部位における遺伝子の機能が破壊、低下又は活性化される。トランスポゾンが挿入されるＤＮＡ中の、トランスポゾンの転位において機能する短いヌクレオチド配列は標的配列（例えばＴＡ）と呼ばれ、トランスポゾン挿入の際には標的配列の重複が生じ、トランスポゾンは標的配列の２つの同一コピー間に挟まれた状態になる（例えばＴＡ−トランスポゾン配列−ＴＡ；図５参照）。標的配列としては、例えばＴＡ、ＡＴＡＴ，ＴＡＴＡＴＡ、ＴＡＣＡなどが知られている。
【００３６】
本発明の第１の態様によれば、哺乳動物のＥＳ細胞または受精卵の中にトランスポゾン配列を導入して作製したトランスジェニック哺乳動物およびその方法を提供し得る。なお、受精卵として核移植された受精卵を利用してもよい。
【００３７】
本発明の第２の態様によれば、本発明の新規な動物、特にマウスは、遺伝子機能解明のための便利なモデルシステムを提供する。本発明のこの実施態様は、生きた動物モデルにおいて遺伝性疾患の研究ための疾患モデルシステムを提供し得る。
【００３８】
本発明において、哺乳動物になり得る細胞（ＥＳ細胞、受精卵等）へのトランスポゾン配列またはトランスポゼース遺伝子導入のために用いる方法としては公知の方法が使用できる。好ましくは、例えばＥＳ細胞への導入法としてレトロウィルスベクター又はエレクトロポレーション、受精卵への導入法としてマイクロインジェクションなどが挙げられる。
【００３９】
本発明で用いるトランスポゾン配列は、トランスポゼースにより認識され哺乳動物細胞内で転位可能な天然または人工トランスポゾンＤＮＡ配列を指す。
【００４０】
本発明の実施に有用なトランスポゾン配列は、哺乳動物細胞で転位可能な任意の配列を包含し、例としてＴｃ１／ｍａｒｉｎｅｒ−ｌｉｋｅトランスポゾン（Ｔｒｅｎｄｓ  ｉｎ  ｇｅｎｅｔｉｃｓ  １５：  Ｎｏ．８，  ３２６−３３２，  １９９９）が挙げられ、好ましくは、ＳＢ（ＳｌｅｅｐｉｎｇＢｅａｕｔｙ）トランスポゾン（Ｃｅｌｌ  ９１：  ５０１−５１０，  １９９７）を用い得る。
【００４１】
本発明において、「シグニチャー部位」とは、トランスポゾン配列が切り出されて転位した結果として現れる配列を指す。例えば本発明でＳＢトランスポゾンを用いた場合、標的配列であるＴＡの重複の間にトランスポゾン末端配列の３塩基が挿入された、「ＴＡｃａｇＴＡ」或いは「ＴＡｃｔｇＴＡ」という配列を指す（図２ｃ参照）。
【００４２】
本発明のトランスポゾン配列はトランスポゾン配列の他に種々の構成要素を組み合わせたトランスポゾンコンストラクトとして受精卵等の細胞に導入することができる。
【００４３】
本発明で用いるトランスポゾンコンストラクトの成分は、限定されるものではないが、トランスポゾン配列の他に、トランスポゾンコンストラクトを構築するために用いるベクター由来の配列（ｐＢｌｕｅｓｃｒｉｐｔなど）、１種以上のマーカー遺伝子、遺伝子発現調節配列、たとえばシグナル配列（核移行シグナル、膜結合シグナルなどを含む）、プロモーター、エンハンサー、サイレンサー、インスレーター、スプライスアクセプター、スプライスドナー、ｌｏｘＰ、ＦＲＴ、ポリＡシグナル、転写停止配列などのうち１種以上を含み得る。トランスポゾンコンストラクトにおいて、トランスポゾン配列内には他の構成要素を組み込む必要は必ずしもないが、ＧＦＰ、ＹＦＰなどのレポーター遺伝子、抗生物質耐性遺伝子などのマーカー遺伝子が挙げられ、これらの遺伝子の５‘側にプロモーター、３’側にポリＡ配列を連結するのが好ましい。
【００４４】
本発明のトランスポゼース遺伝子はトランスポゼース遺伝子の他に種々の構成要素を組み合わせたトランスポゼースコンストラクトとして受精卵等の細胞に導入することができる。
【００４５】
本発明で用いることのできるトランスポゼースコンストラクトの成分は、限定されるものではないが、トランスポゼース遺伝子の他に、例えば、プロモーター、エンハンサー、ポリＡシグナル等を含む。トランスポゼース遺伝子の５‘側には、プロモーターが好ましく組み込まれるが、トランスポゼース遺伝子の５’側にプロモーターが存在する場合もあり、プロモーターは必須ではない。本発明において、好ましいトランスポゼースコンストラクトは、５‘側からプロモーター、トランスポゼース遺伝子、ポリＡをこの順に含むものである。
【００４６】
本発明で用いるマーカー遺伝子に包含される選択マーカー遺伝子ないしリポーターとしては、例えば、抗生物質耐性を付与するＮｅｏｍｙｃｉｎ耐性遺伝子、Ｐｕｒｏｍｙｃｉｎ耐性遺伝子、Ｈｙｇｒｏｍｙｃｉｎ耐性遺伝子、ＧＦＰ、ｌａｃＺ等があり、目的及び必要に応じて適宜選択し得る。
【００４７】
本発明において選択マーカー遺伝子を用いない場合は、該トランスジェニック哺乳動物の細胞からＤＮＡを抽出し、サザンブロット法により転位の有無を調べることで、スクリーニングを行ない得る。
【００４８】
本発明で用いる用語「プロモーター」は、転写開始点から上流の、そして転写を開始するためのＲＮＡポリメラーゼおよび他のタンパク質の認識および結合に関与するＤＮＡ領域をいう。
【００４９】
本発明において用い得るプロモーターは、哺乳動物の細胞又は組織で活性の高いプロモーターであれば特に限定されない。例として、ＰＧＫプロモーター、ＣＡＧプロモーター、ＰｏｌＩＩプロモーターが挙げられる。
【００５０】
プロモーターの基礎転写活性はエンハンサー配列の存在により増加できる。その機構は明らかにされていないが、ある種の明らかにされたエンハンサー調節配列はプロモーターの近くに存在する場合、プロモーターの転写速度を増加させることが当業者には知られている。
【００５１】
本発明において用い得るエンハンサーは、哺乳動物の細胞又は組織で活性の高いエンハンサーであれば特に限定されない。例として、ヒトサイトメガロウィルス（ＨＣＭＶ）エンハンサー等が目的及び必要に応じて適宜選択し得る。
【００５２】
本発明において用い得るサイレンサーは、哺乳動物の細胞又は組織で活性の高いサイレンサーであれば特に限定されない。本発明の１実施態様においては、トランスポゾン配列内の成分としてサイレンサーを用いることにより、変異の発現を抑制し得る。
【００５３】
本発明において用い得るインスレーターは、哺乳動物の細胞又は組織で活性の高いインスレーターであれば特に限定されない。本発明の１実施態様においては、トランスポゾン配列内の成分としてインスレーターを用いることにより、トランスポゾン配列挿入部位の周囲の配列等に依存せずにトランスポゾン配列内の遺伝子の発現を行うことができる。
【００５４】
本発明において用い得るシグナル配列は、目的とする細胞又は組織で活性の高いシグナル配列であれば特に限定されない。本発明の１実施態様においては、トランスポゾン配列内の成分としてシグナル配列（例えば膜移行シグナル）を用いることにより、変異の導入された細胞において、マーカー（例えばＧＦＰ）を目的とする部位（例えば膜表面）に集めることが可能であり、変異細胞の分析をより効率の良いものにし得る。
【００５５】
本発明の１実施態様によれば、活性の強い又は弱いスプライスアクセプター部位を含むトランスポゾン配列を哺乳動物に導入し得る。スプライスアクセプター部位としては、たとえばＲＮＡスプライシングで働くイントロンの３’末端にあり、ＡＧ配列を含むヌクレオチド配列が含まれる。
【００５６】
本発明の１実施態様によれば、活性の強い又は弱いスプライスドナー部位を含むトランスポゾン配列を哺乳動物に導入し得る。スプライスドナー部位としては、たとえばＲＮＡスプライシングで働くイントロンの５’末端にあり、ＧＴ配列を含むヌクレオチド配列が例示される。
【００５７】
トランスポゾンの転位はランダムであるが、本発明の１実施態様においては、細胞が重度の成長障害を起こすなど、変異が致死的に及ぶことを防ぐために、トランスポゾンコンストラクト内に種々の発現誘導性をもつプロモーター或いはエンハンサーを用いて、転位発現率の調節を行ない得る。
【００５８】
また、ホルモン或いはテトラサイクリン等の抗生物質に依存して発現誘導性をもつプロモーター或いはエンハンサーを用いた場合、ホルモン或いはテトラサイクリン等の抗生物質を与える又は与えないことにより、転位時期を調節することができる。
【００５９】
本発明の１実施態様によれば、種々のエンハンサーを含むトランスポゾンがガン原遺伝子の近傍に転位した場合、ガンを発現する結果となる。これにより、ガン原遺伝子をスクリーニングできる。特に、トランスポゾン配列とトランスポゼース遺伝子を両方含むトランスジェニック哺乳動物の場合、各動物細胞内で転位による遺伝子機能の低下、破壊ないし活性化がランダムに進行しているので、複数のガンが同一個体内で発生することも予測され、ガンに関与する遺伝子機能の解明を効率よく進めることができる。更に、同一個体内で複数のガンを認めた場合、各々のガン細胞においてトランスポゾンベクターの挿入部位が同じかどうかを調べることによって、ガン細胞が同一の細胞に由来しているかどうかを調べることができ、ガンの転移のメカニズムの研究に寄与し得る。
【００６０】
本発明において、図３に示すようにトランスポゼース遺伝子（ＳＢ）を有するトランスジェニック哺乳動物をトランスポゾン配列含有トランスジェニック哺乳動物と交配して、トランスポゼース遺伝子及びトランスポゾン配列含有トランスジェニック哺乳動物を得ることができる。このトランスポゼース遺伝子及びトランスポゾン配列含有トランスジェニック哺乳動物は、トランスポゾン配列は転位可能な状態で含まれるため、１カ所以上の染色体上の位置に転位可能であり、この転位により染色体上の任意の位置の遺伝子の機能を破壊、低下ないし活性化することが可能である。
【００６１】
更に、トランスポゼース遺伝子及びトランスポゾン配列含有トランスジェニック哺乳動物と野生型哺乳動物を交配して、トランスポゾン配列を有するがトランスポゼース遺伝子を有しない哺乳動物を得ることができる。
【００６２】
本発明においては、所望のトランスジェニック哺乳動物をプレスクリーニングし得る。プレスクリーニングの方法としては、例えばｇｅｎｅｔｒａｐ法を用いることができる（Ｚａｍｂｒｏｗｉｃｚ，  Ｂ．Ｐ．ｅｔ  ａｌ．  Ｎａｔｕｒｅ  ３９２，  ６０８−６１１，  １９９８；Ｇｏｓｓｌｅｒ，  Ａ．  ｅｔ  ａｌ．  Ｓｃｉｅｎｃｅ  ２４４，  ４６３−４６５，  １９８９；Ｓｋａｒｎｅｓ，  Ｗ．Ｃ．  ｅｔ  ａｌ．  Ｇｅｎｅｓ  Ｄｅｖ  ６：  ９０３−９１８，  １９９２；Ｆｒｉｅｄｒｉｃｈ，  Ｇ．  ｅｔ  ａｌ．  Ｇｅｎｅｓ  Ｄｅｖ  ５：  １５１３−１５２３，  １９９１）。
【００６３】
このように、プレスクリーニングを行うことにより遺伝子機能の解明に有望なトランスジェニック哺乳動物を予め選抜し、その後２世代以上交配することにより、１対の染色体の両方の遺伝子が変異したトランスジェニック哺乳動物を得ることができる。
【００６４】
以下、本発明で用いる発現ベクターの作製方法を具体例を挙げて説明する。なお、この具体例で用いられる出発プラスミド、プロモーター等の構成要素を同等のもので置き換えて実施することは当業者にとって容易である。
【００６５】
【実施例】
以下、本発明の内容を実施例を用いてより具体的に説明するが、本発明はこれらに何ら限定されるものではない。
方法
・サザンブロット分析
ゲノムＤＮＡは、制限酵素で消化され、０．７％アガロースゲルで分画し、Ｈｙｂｏｎｄ−Ｎ＋ナイロンメンブレン（Ａｍｅｒｓｈａｍ）に移した。ＥＧＦＰを含むｐＣＸ−ＥＧＦＰ（Ｏｋａｂｅ  Ｍ．  ｅｔ  ａｌ．  ＦＥＢＳ  Ｌｅｔｔ  ４０７，  ３１３−９（１９９７））の０．７ｋｂ  ＥｃｏＲＩ断片をトランスポゾン特異的バンドを検出するためのプローブとして使用した。ハイブリダイゼーション及び洗浄を標準的な方法（Ｓａｍｂｒｏｏｋ，  Ｊ．，  Ｆｒｉｔｓｃｈ，  Ｅ．Ｆ．  ＆  Ｍａｎｉａｔｉｓ，  Ｔ．  Ｍｏｌｅｃｕｌａｒ  Ｃｌｏｎｉｎｇ：  Ａ  Ｌａｂｏｒａｔｏｒｙ  Ｍａｎｕａｌ  （Ｃｏｌｄ  Ｓｐｒｉｎｇ  Ｈａｒｂｏｒ  Ｌａｂ．  Ｐｒｅｓｓ，  Ｐｌａｉｎｖｉｅｗ，  ＮＹ）  （１９８９））により行った。トランスジェニックマウスのトランスポゾンコピー数を評価するために、テイルＤＮＡのバンド強度をＢｉｏ  ｉｍａｇｉｎｇ  ｓｙｓｔｅｍ  ＢＡＳ２５００（Ｆｕｊｉｆｉｌｍ）を用いてトランスポゾンの単一コピーを含むＥＳ細胞クローンに由来するゲノムＤＮＡのものと比較した。
・ＰＣＲ分析
トランスポゾンの切り出しは、以下のプライマーセットを用いたＰＣＲにより検出した：ＴｇＴＰ−２Ｌ，  ５’−ＡＣＡ  ＣＡＧ  ＧＡＡ  ＡＣＡ  ＧＣＴ  ＡＴＧ  ＡＣＣ  ＡＴＧ  ＡＴＴ  ＡＣＧ−３’及びＴｇＴＰ−１Ｕ，  ５’−ＧＡＣ  ＣＧＣ  ＴＴＣ  ＣＴＣ  ＧＴＧ  ＣＴＴ  ＴＡＣ  ＧＧＴ  ＡＴＣ−３’。各プライマーは、それぞれｐＴｒａｎｓＣＸ−ＧＦＰ：Ｎｅｏ  のＩＲ／ＤＲ（Ｒ）及びＩＲ／ＤＲ（Ｌ）の外側に位置する。ＰＣＲは、ＨｏｔＳｔａｒＴａｑ  ｓｙｓｔｅｍ（Ｑｉａｇｅｎ）を用い、以下の条件下に行った：９５℃１５分、５０サイクル（９４℃１分、５９℃１分、７２℃１分）、次いで最終工程で７２℃１０分の１サイクル。
トランスジェニックマウスの遺伝子型は、以下のプライマー対を用いて決定した：ＧＦＰ遺伝子に関して（ＥＧＦＰ−１Ｕ，  ５’−ＣＡＣ  ＣＣＴ  ＣＧＴ  ＧＡＣ  ＣＡＣ  ＣＣＴ  ＧＡＣ  ＣＴＡ−３’  及びＥＧＦＰ−１Ｌ，  ５’−ＣＴＴ  ＧＡＴ  ＧＣＣ  ＧＴＴ  ＣＴＴ  ＣＴＧ  ＣＴＴ  ＧＴＣ  Ｇ−３’）及びＳＢトランスジーンに関して（ＳＢ−２Ｕ，  ５’−ＴＣＣ  ＴＡＧ  ＡＧＡ  ＴＧＡ  ＡＣＧ  ＴＡＣ  ＴＴＴ  ＧＧＴ−３’およびＳＢ−１Ｌ，  ５’−ＡＴＣ  ＣＡＣ  ＡＴＡ  ＡＴＴ  ＴＴＣ  ＣＴＴ  ＣＣＴ  ＣＡＴ  Ｇ−３’）。ＰＣＲ条件は、アニーリング温度を５５℃とし、サイクル数を３０とした以外は、上記と同じであった。得られたＰＣＲ産物は、ＧＦＰ遺伝子に関し３１３ｂｐ及びＳＢトランスジーンに関し４６６ｂｐであった。トランスポゾンの新規組込み部位でのフランキング配列は、既述のようにＰＣＲ増幅した（Ｉｖｉｃｓ，  Ｚ．  ｅｔ  ａｌ．，  Ｃｅｌｌ  ９１，  ５０１−１０（１９９７））。ＰＣＲ産物はダイターミネーター（ｄｙｅ  ｔｅｒｍｉｎａｔｏｒ）及びＡＢＩ３７３Ａ  ＤＮＡ  シークエンサー（Ａｐｐｌｉｅｄ  Ｂｉｏｓｙｓｔｅｍｓ）を用いて直接配列決定した。
・ＧＦＰ発現の測定
出生直後のマウスの尾の先端を切除し、直ちにＧＦＰ−ｓｐｅｃｉｆｉｅｄ  ｆｉｌｔｅｒ（オリンパス、東京、日本）及びオリンパス蛍光倒立顕微鏡を用いてｘ４０の倍率で蛍光強度を観察する。尾全体にＧＦＰ発現を有するマウスをポジティブと判定した。
実施例１  プラスミド作製とトランスジェニックマウス樹立
（１）ＳＢトランスジェニックマウスの樹立
ａ）ＳＢトランスジェニックマウスの樹立のためのｐＣＸ−ＳＢコンストラクトの作製（図１ｂ・下）
ｐＳＢ１０プラスミド  （Ｚ．  Ｉｖｉｃｓ  ｅｔ  ａｌ；  Ｃｅｌｌ  ９１：  ５０１−５１０，  １９９７）からＳＢを制限酵素ＳａｃＩＩ  で切断後、平滑化した。そのＳＢ−ＤＮＡ断片をｐＣＸ−ＥＧＦＰプラスミド（Ｍ．  Ｏｋａｂｅ  ｅｔ  ａｌ；  ＦＥＢＳ  Ｌｅｔｔｅｒ  ４０７：  ３１３  ３１９，  １９９７）の平滑化されたＥｃｏＲＩサイトにＥＧＦＰ断片と入れ換える状態で挿入した後、ＳＢの向きを確認した。
【００６６】
ｂ）ｐＣＸ−ＳＢコンストラクトからＳＢトランスジェニックマウスの樹立
プロモーター・ＳＢ・ＰｏｌｙＡ付加シグナルを含むユニットＤＮＡ断片をｐＣＸ−ＳＢコンストラクトから制限酵素ＳａｌＩ−ＢａｍＨＩで切断し、その後電気泳動して精製する。このＤＮＡ断片をＢ６Ｃ３Ｆ２マウス受精卵に移入することによりＳＢトランスジェニックマウスを樹立する。
【００６７】
得られたＳＢトランスジェニックマウス（Ｆｏｕｎｄｅｒ）の系統を樹立するために、野生型マウスと交配したが、ＳＢトランスポゼース遺伝子を含有するマウスを得るには多数の交配を要した。また、２匹のＦｏｕｎｄｅｒマウスのうち、系統を樹立できたのは一方のみであった。
（２）トランスポゾン配列含有トランスジェニックマウスの樹立
ａ）トランスポゾンコンストラクトｐＴｒａｎｓＣＸ−ＧＦＰ：Ｎｅｏの作製（図１ｂ・上）
ｐＴｒａｎｓＣＸ−ＧＦＰは多段階により作製した。ｐＴ／Ｎｅｏプラスミド（Ｚ．  Ｉｖｉｃｓ  ｅｔ  ａｌ；  Ｃｅｌｌ  ９１：  ５０１−５１０，  １９９７）から３８３塩基対のＩＲ／ＤＲ（Ｒ）断片を、ＢａｍＨＩで切断平滑化、さらにＥｃｏＲＩで切断後単離し、ｐＢｌｕｅｓｃｒｉｐｔＩＩ（Ｓｔｒａｔｅｇｅｎｅ社）のＨｉｎｃＩＩ・ＥｃｏＲＩ  サイトにクローニングしてｐＢＳ−ＩＲ／ＤＲ（Ｒ）を得た。同様にｐＴ／Ｎｅｏプラスミドから３６３塩基対のＩＲ／ＤＲ（Ｌ）断片を、ＳａｃＩで切断、平滑化、さらにＢａｍＨＩで切断後単離し、ｐＢＳ−ＩＲ／ＤＲ（Ｒ）のＸｂａＩ−ＢａｍＨＩサイトにＸｂａＩ部位を平滑化後クローニングしてｐＢＳ−ＩＲ／ＤＲ（Ｒ，Ｌ）を得た。マウスＰｉｇａ遺伝子（Ｋａｗａｇｏｅ，Ｋ．  ｅｔ  ａｌ．，  Ｇｅｎｏｍｉｃｓ  ２３，  ５６６−７４（１９９４））のエクソン２及びイントロン２を含む約１．３  ｋ塩基対のＳｐｅＩ−ＳａｃＩ断片をｐＢｌｕｅｓｃｒｉｐｔＩＩのＳｐｅＩ−ＳａｃＩサイトにクローニングしてｐＰｉｇａを得、ＣＡＧプロモーターを含む約１．７ｋ塩基対のＳａｌＩ−ＥｃｏＲＩ断片をｐＣＸ−ＥＧＦＰプラスミドから切り出し、ｐＰｉｇａのＳａｌＩ−ＥｃｏＲＩサイトにクローニングしてｐＣＸ−Ｐｉｇａを得た。ｐＣＸ−ＥＧＦＰプラスミドからＥｃｏＲＩで切り出したＥＧＦＰ断片をｐＣＸ−ＰｉｇａのＥｃｏＲＩサイトにクローニングしてｐＣＸ−ＥＧＦＰ−Ｐｉｇａを得た。ＣＡＧプロモーターを含むｐＣＸ−ＥＧＦＰ−ＰｉｇａをＳａｌＩ−ＳａｃＩで切り出し、その断端を平滑化する。そしてその断片を、ＥｃｏＲＩ及びＢａｍＨＩ部位の両方を平滑化した後、ＩＲ／ＤＲ（Ｒ）とＩＲ−ＤＲ（Ｌ）の間に位置するｐＢＳ−ＩＲ／ＤＲ（Ｒ，Ｌ）のＥｃｏＲＩ−ＢａｍＨＩ部位にクローニングしてｐＴｒａｎｓＣＸ−ＧＦＰを得た。最後に２つのｌｏｘＰ部位ではさまれたＰＧＫ−Ｎｅｏカセット（Ｙ．  Ｎａｋａｎｏ  ｅｔ  ａｌ  Ｅｕｒ．  Ｊ．  ｏｆ  Ｎｕｅｒｏｓｃｉ．  １１；  ２５７７−２５８１，  １９９９）の２．３ｋｂ  ＮｏｔＩ断片をｐＴｒａｎｓＣＸ−ＧＦＰのユニークなＮｏｔＩサイトにクローニングしてｐＴｒａｎｓＣＸ−ＧＦＰ：Ｎｅｏを作製した。なお、図面において、ポリＡシグナルを「ｐＡ」と略す。ショートバージョンの断片とロングバージョンの断片をマイクロインジェクションすることにより、２つのバージョンのトランスジェニックマウスを作製した。ショートバージョンの断片はトランスポゾン領域のみを有する４．５ｋｂのＡｓｐ７１８断片であり、ロングバージョン断片は、ＰＧＫ−Ｎｅｏカセット及びｐＢｌｕｅｓｃｒｉｐｔＩＩベクター骨格を有する全長のＳａｃＩ断片である。
【００６８】
ｂ）ｐＴｒａｎｓＣＸ−ＧＦＰ：Ｎｅｏコンストラクトからのトランスポゾントランスジェニックマウスの樹立
一カ所しか存在しないＳａｃＩでｐＴｒａｎｓＣＸ−ＧＦＰ：Ｎｅｏを直線化し、この１０００コピーをＢ６Ｃ３Ｆ２マウス受精卵に注入することにより、トランスポゾン配列含有トランスジェニックマウスを樹立する。
【００６９】
得られたトランスポゾン配列含有マウス（Ｆｏｕｎｄｅｒ）は、ＳＢトランスジェニックマウスと異なり、野生型マウスと１回交配しただけで、トランスポゾン配列が１／２の確率で発現するマウスを得ることができた。また、得られたマウスは、トランスポゾン配列内にＧＦＰ遺伝子を有しているにもかかわらず、グリーンの蛍光を発しなかった。
（３）トランスジェニックマウスのスクリーニング（図３）
ａ）ｐＴｒａｎｓＣＸ−ＧＦＰ：Ｎｅｏ及びｐＣＸ−ＳＢを両方有するマウス
（１）のＳＢトランスジェニックマウスと（２）のトランスポゾン配列含有トランスジェニックマウスを交配する。得られた出生直後のマウスの尾から採取したＤＮＡをＰＣＲ法により分析し、ｐＴｒａｎｓＣＸ−ＧＦＰ：Ｎｅｏ及びｐＣＸ−ＳＢを両方有するトランスジェニックマウスを選抜する。ｐＴｒａｎｓＣＸ−ＧＦＰ：Ｎｅｏ及びｐＣＸ−ＳＢを両方有するトランスジェニックマウスは、グリーンの蛍光を発しなかった。
【００７０】
ｂ）トランスポゼースによりトランスポゾン配列が転位しグリーンの蛍光を発するマウス
上記ａ）のｐＴｒａｎｓＣＸ−ＧＦＰ：Ｎｅｏ及びｐＣＸ−ＳＢを両方有するトランスジェニックマウス（雄及び雌）と野生型ＩＣＲマウスをそれぞれ交配する。得られた出生直後のマウスの尾を切除し、ＧＦＰ−ｓｐｅｃｉｆｉｅｄ  ｆｉｌｔｅｒ（オリンパス、東京、日本）及びオリンパス蛍光倒立顕微鏡を用いて４０倍で蛍光強度を観察する。ＧＦＰが発現しグリーン蛍光に光る個体を、トランスポゼースによりトランスポゾン配列が転位したマウスとして選抜する。結果を表１に示す。
【００７１】
【表１】
2004267001.tif 000003
【００７２】
表１中、ＧＦＰシグナル陽性マウスの数をＧＦＰ遺伝子陽性マウスの数で割って、ＧＦＰ活性型マウスの頻度を算出した。
【００７３】
オスの得られた３６個体のＧＦＰ遺伝子陽性マウス中２３匹がグリーンの蛍光を発していた。また、得られた個体についてＤＮＡをサザンブロット法により解析すると、転位部位に特異的と考えられるバンドを認めた（図４ｂの１−５、１−８、１−９、２−１４）。更に、トランスポゾン配列の周辺領域をＰＣＲ法で増幅して解析すると、転位部位に特異的なＴＡ−トランスポゾン配列−ＴＡの配列と、ｐＴｒａｎｓＣＸ−ＧＦＰ：Ｎｅｏに存在しない転位部位のゲノム由来の配列が同定できた（図５の１−８，  １−９）。また、グリーンの蛍光を発していないマウスについても転位部位の有無を調べたところ、転位部位を有しないマウスも存在したが（図４ｂの１−１）、転位部位を複数有するマウスも存在した（図４ｂの３−８）。
【００７４】
【発明の効果】
本発明によれば、動物体内で、効率のよいトランスポゾン配列の転位を達成することができる。トランスポゾンを用いた変異の導入法によれば、他の方法に比べ、多種多様な発現型をもつ哺乳動物を効率よく且つランダムに得ることが可能となり、哺乳動物個体内での遺伝子変異の導入を可能にする。本発明のトランスジェニック哺乳動物は、遺伝子機能研究において、多様な遺伝子変異を導入することにより、複雑な生命現象を解明するためのツールとしてきわめて有用である。
【００７５】
また、Ｐｒｏｃ．Ｎａｔｌ．Ａｃａｄ．Ｓｃｉ．ＵＳＡ．，  ｖｏｌ．９５，  １９９８，  １０７６９−１０７７３に記載されるように、細胞におけるトランスポゾンの発現頻度は細胞あたり最大で３．５×１０−５と極めて低いのに対して、本発明による個体でのトランスポゾン発現率は、著しく高いという特徴をもつ。このようにトランスポゾン発現システムが動物またはその組織、器官などの細胞集合体となることでトランスポゾンの転位効率が飛躍的に高まったのは、本発明において初めて見いだされた知見である。
【００７６】
本発明の１実施態様によれば、遺伝子機能を解明する手段として、ランダムにトランスポゾン配列を導入したトランスジェニック哺乳動物群の中から、マーカー或いは他の手段によりランダムに導入された変異を有する個体を見出すことが可能である。
【００７７】
本発明によれば、用いる哺乳動物の病原性に関わる蛋白質をコードする遺伝子にランダムに変異を導入できる。遺伝子の機能が同定されれば、該遺伝子或いは該遺伝子がコードする蛋白質を用いて、遺伝子発現やタンパク質機能を調節できる治療薬をスクリーニングすることができる。
【００７８】
さらに、本発明のトランスジェニック哺乳動物は、特定の遺伝子機能が喪失、低下ないし活性化しており、表現型が変化した疾患動物モデルを容易に得ることができ、医学、薬学などの分野における実験動物として有用である。
【００７９】
また、トランスポゾン配列がスプライスアクセプターを有する場合、遺伝子発現調節配列（スプライスアクセプター、スプライスドナー、エンハンサーなど）の強弱を調節することにより、トランスポゾンの転位部位が関与する遺伝子発現の強弱を調節し得る。
【００８０】
本発明によれば、トランスポゾン配列及びトランスポゼース遺伝子を有し、且つ、少なくとも１つの細胞に転位部位を有するトランスジェニック哺乳動物を得ることができる。変異を持つ哺乳動物個体を調べる際、本発明では遺伝子変異の発現頻度が極めて高いので、複数の変異をもつ哺乳動物が１個体得られれば、多くの変異の機能変化を一度で分析することができ、遺伝子機能の解明を極めて効率的に行うことができる。
【００８１】
本発明によれば、得られたトランスジェニック哺乳動物の交配を重ね、トランスポジションがＦＩＸされた遺伝子解明上有用な哺乳動物を得ることが可能である。こうした哺乳動物の中で何らかの機能を欠損したものについて、例えばスプライスアクセプターを含むトランスポゾン配列を用い、機能を回復させるためにトランスポゼースをその受精卵に加えるか、トランスポゼースを有するマウスと交配することにより、トランスポゾン配列を転位させ、機能が回復するかどうかを見ることにより、特定の遺伝子が特定の機能に関与していたかどうかを確認することができる。
【００８２】
本発明では、トランスポゾンにより変異を導入しているため、突然変異誘発物質などを用いて変異を導入するのと比較して、どこに変異が導入されたのかをＰＣＲ等の適当な方法により、容易に検出することができる。
【００８３】
また、本発明の実施態様においては、培養細胞でなく個体のマウスで遺伝子変異を導入することにより、個体レベルでの遺伝子機能の解析が可能である。また、マウスを生存させたままの状態では操作が困難な組織に対しても、外部から手を加えることなしに、マウス体内で遺伝子変異を導入し得る。
【００８４】
さらに、同じ組織内であっても転位部位が異なり、従って遺伝的に異なる一群の細胞が存在するので、血液系、免疫系などの任意の組織・臓器・器官で、増殖、分化等における細胞系譜を系統的に調べることができる。
【００８５】
トランスポゾン配列は、同一の染色体内で転位することが多い。よって、トランスポゾン配列コンストラクトにおいて、ｌｏｘＰをトランスポゾン配列の内外に１つずつ導入しておき、トランスポゾン配列の転位部位を有するトランスジェニック哺乳動物を作成しておけば、Ｃｒｅを作用させることで、転位前の部位と転位部位との間の染色体領域を欠失できる。この領域には、通常は一対存在する遺伝子が１つしか存在しなくなることから、更に変異を導入して劣性の遺伝をスクリーニングすることが容易となる。
【００８６】
【配列表】
2004267001.tif 000004
2004267001.tif 000005
2004267001.tif 000006
【図面の簡単な説明】
【図１】図１は、図面代用写真である。
図１ａは、ＧＦＰ（グリーン蛍光タンパク質）遺伝子とトランスポゾン（ＧＦＰ両側の矢印で示される）及びＳＢ（Ｓｌｅｅｐｉｎｇ  Ｂｅａｕｔｙ由来のトランスポゼース）を組み合わせた、転位を検出するシステムを示す説明図である。
図１ａの左に、両端をトランスポゾンの末端反復配列（ＩＲ／ＤＲｓ：矢印の部分）で挟まれたＧＦＰ遺伝子が複数つながったＧＦＰ発現ユニットを示す。この状態ではＧＦＰ遺伝子は、トランスポゾン配列の両側に存在する配列の影響により不活性であるが、ＳＢと示すＳＢトランスポゼースの作用によりトランスポゾン配列が転位すると、トランスポゾン配列両側の配列が切り離され、これによってＧＦＰ遺伝子が発現し、グリーン蛍光を呈する（図１ａの右側）。
図１ｂは、実施例１で得られたトランスポゾンコンストラクトｐＴｒａｎｓＣＸ−ＧＦＰ：Ｎｅｏ（上）及びトランスポゼースコンストラクトｐＣＸ−ＳＢ（下）の概略的説明図である。
図１ｂにおいて、ｐＴｒａｎｓＣＸ−ＧＦＰ：Ｎｅｏは、Ｃｒｅタンパク質を利用して染色体の組換えを誘発するためのｌｏｘＰ配列、マーカー遺伝子ｎｅｏ発現を制御するＰＧＫプロモーター（ＰＧＫ）、細胞レベルでトランスポゾン配列を導入する際の薬剤耐性マーカーＮｅｏ（ネオマイシン耐性遺伝子）、ＳＢトランスポゾンの末端反復配列（逆向きの２つの太い矢印で示される）、ＧＦＰ遺伝子発現を制御するＣＡＧプロモーター（ＣＡＧ）、ＧＦＰ遺伝子（ＧＦＰ）、ＧＦＰ遺伝子安定発現のためのＰｉｇａジーンフラグメント由来ＰｏｌｙＡ付加シグナル（ｐＡ）、及びプラスミド配列ｐＢｌｕｅｓｃｒｉｐｔを含む。
なお、本発明者は、図１ｂにおいて示されるＫｐｎＩで消化された４．５ｋｂの短い配列をマウスの受精卵に導入した場合、ゲノムへの挿入部位に関わらずグリーンの蛍光を有するマウスが得られることを確認した。
ｐＣＸ−ＳＢは、ＳＢトランスポゼース発現ベクターであり、ＳＢ（トランスポゼース遺伝子）発現のためのＣＡＧプロモーター（ＣＡＧ）、ＳＢトランスポゼース遺伝子（ＳＢ）、ＳＢトランスポゼース遺伝子安定発現のためのＰｏｌｙＡ付加シグナル（ｐＡ）を含む。
図１ｃは、ＧＦＰプローブを用いたサザンブロッティングによるトランスポゾンコピー数の分析結果を示す図である。
図１ｃの結果より、ｐＴｒａｎｓＣＸ−ＧＦＰ：Ｎｅｏをマイクロインジェクションで受精卵に導入したトランスジェニックマウス（ｌＴＲＡ−ＧＦＰ）には、約２０コピーのｐＴｒａｎｓＣＸ−ＧＦＰ：Ｎｅｏが導入されていることが明らかになった。なお、図１ｃ中、４．５ｋｂのバンドはトランスジェニックマウスのｐＴｒａｎｓＣＸ−ＧＦＰ：Ｎｅｏに由来し、３．５ｋｂのバンドはＧＦＰを１コピーのみ有する細胞（ＥＳ／ＧＦＰ）の５μｇのＤＮＡに由来する。
【図２】図２は、図面代用写真である。
図２ａはｐＴｒａｎｓＣＸ−ＧＦＰ：Ｎｅｏ及びｐＣＸ−ＳＢの両方を有するトランスジェニックマウスにおける、トランスポゾン切除前後を示す説明図である。  トランスポゾンの切除前には、ＰＣＲプライマー同士は４．８ｋｂ離れておりＰＣＲ許容範囲を超えている。トランスポゾンの切除が起こると、プライマー同士が近づきＰＣＲで増幅可能になる。
図２ｂはｐＴｒａｎｓＣＸ−ＧＦＰ：Ｎｅｏ及びｐＣＸ−ＳＢの両方又はいずれか一方を有するトランスジェニックマウスＤＮＡについての、トランスポゾン切除の有無を示すＰＣＲ分析結果である。図中の＋、−は、サンプルコンストラクト内のＳＢトランスポゼース遺伝子又はＧＦＰ遺伝子の有（＋）無（−）を示す。
ｐＴｒａｎｓＣＸ−ＧＦＰ：Ｎｅｏのみを有するマウス（ＧＦＰ＋ＳＢ−）では３５８ｂｐのバンドは確認されず、ｐＴｒａｎｓＣＸ−ＧＦＰ：Ｎｅｏ及びｐＣＸ−ＳＢの両方を有するマウスサンプル（ＧＦＰ＋ＳＢ＋）についてはトランスポゾン切除後（図２ａ下）の３５８ｂｐＤＮＡ断片のバンドが現れていることから、トランスポゾンの切除はＳＢトランスポゼースにより媒介されることが示される。
図２ｃは、トランスポゾン転位後に残る、標的配列ＴＡに３塩基が挟まれたシグニチャー配列（ＴＡｃａｇＴＡ又はＴＡｃｔｇＴＡ）を示す。
図２ｄは、ｐＴｒａｎｓＣＸ−ＧＦＰ：Ｎｅｏ及びｐＣＸ−ＳＢの両方を有するマウスサンプルについて尾（ｔａｉｌ）及び血液（ｂｌｏｏｄ）由来ＤＮＡを繰返し１０倍希釈してＰＣＲを行い、トランスポゾン配列の切除の頻度を調べた結果である。
図２ｄのバンドはトランスポゾン配列の切除に特異的であり、尾及び血液細胞において、極めて高頻度のトランスポゾン配列の切除が起こることが示される。
【図３】図３は、図面代用写真である。
図３は、トランスジェニックマウスの作製フローを示す概略図である。
それぞれの作製方法を実施例１に示す。
ＧＦＰ（実施例１ではｐＴｒａｎｓＣＸ−ＧＦＰ：Ｎｅｏ）は、トランスポゾン配列を有するトランスジェニックマウス、ＳＢ（実施例１ではｐＣＸ−ＳＢ）は、トランスポゼース（ＳＢ）を有するトランスジェニックマウス、ＧＦＰ及びＳＢ両方が記載されたマウスはトランスポゾン配列（実施例１ではｐＴｒａｎｓＣＸ−ＧＦＰ：Ｎｅｏ）及びトランスポゼース遺伝子（実施例１ではｐＣＸ−ＳＢ）の両方を有するトランスジェニックマウス、ｗｔは野生型マウスを示す。ＧＦＰマウス及びＳＢ−ＧＦＰマウスは、グリーン蛍光を呈さない。写真はトランスポゾンが転位してＧＦＰ遺伝子が発現し、グリーン蛍光を呈するトランスジェニックマウスを示す。
【図４】図４は、図面代用写真である。
図４ａは、転位前組込部位（Ｐａｒｅｎｔａｌ  ｉｎｔｅｇｒａｔｉｏｎ  ｓｉｔｅ）及び新規組込部位（Ｎｏｖｅｌ  ｉｎｔｅｇｒａｔｉｏｎ  ｓｉｔｅ）の制限地図である。
トランスポゾン配列（ｐＴｒａｎｓＣＸ−ＧＦＰ：Ｎｅｏ）が最初に挿入された部位を転位前組込部位（Ｐａｒｅｎｔａｌ  ｉｎｔｅｇｒａｔｉｏｎ  ｓｉｔｅ）、またトランスポゼース（ＳＢ）の作用による転位後、新たにトランスポゾン配列が挿入された部位を新規組込部位（Ｎｏｖｅｌ  ｉｎｔｅｇｒａｔｉｏｎ  ｓｉｔｅ）として示す。ＡｓｅＩ及びＫｐｎＩ両方の消化により、最初の挿入部位では４ｋｂのフラグメントを得られ、次からの新たな挿入部位では４ｋｂより大きなバンドを得る。
図４ｂは、サザンブロットハイブリダイゼーションによる新規組込部位の検出結果を示す。
ＡｓｅＩ及びＫｐｎＩにより消化されたマウスの尾ＤＮＡについて、ＧＦＰプローブを用いて分析する。トランスポゾン及びトランスポゼースの両方を有するトランスジェニックマウス（ＧＦＰ＋ＳＢ＋）、トランスポゾンのみを有するマウス（ＧＦＰ＋ＳＢ−）、ＧＦＰ＋ＳＢ＋マウスと野生型マウスを交配した子孫であるＧＦＰの蛍光を発したマウス４個体（１−５，  １−８，  １−９，  ２−１４）及びＧＦＰの蛍光を発しないマウス２個体（１−１，  ３−８）のＤＮＡをサンプルとして用いる。
ＧＦＰシグナル（グリーン蛍光）の有無を図の下部に＋、−で示す。図中矢印で示した４ｋｂより大きなバンドは、トランスポゾン転位部位に由来すると考えられる。４ｋｂの強いバンドは、最初にトランスポゾン配列が複数組込まれた部位に対応する。ＧＦＰ蛍光陽性マウスでは、全てに４ｋｂより大きなバンドが存在し、転位が起こったことがわかる。各バンドのサイズが異なっていることから、転位は異なる染色体部位で起こったことがわかる。
【図５】転位前（ｖｅｃｔｏｒ）及び転移後新規組込部位（１−８，  １−９）の周辺領域の塩基配列、及び転位の標的部位の塩基配列を示す。トランスポゾン配列の両端フランキング配列であり、標的部位に位置するジヌクレオチドＴＡを太字で示す。
【図１】
2004267001.tif 000007
【図２】
2004267001.tif 000008
【図３】
2004267001.tif 000009
【図４】
2004267001.tif 000010
【図５】
2004267001.tif 000011